(57)【要約】【課題】複数の光源に夫々対応する検出用の情報が予め記録された光記録媒体を、夫々の光源で読み取った結果に基づいて、光軸相互のずれを高精度に検出することを可能とする光ディスク装置、光軸ずれ検出方法、及び光記録媒体を提供する。【解決手段】光記録媒体１０のＬ０層１０８の所定トラックの所定位置には第１の情報１０９を記録し、前記所定位置に対応するＬ１層１１６の位置を中心に所定範囲にわたって第２の情報１１７を記録してある。光ディスク装置は、Ｌ０層１０８及びＬ１層１１６に青色及び赤色の光ビームを夫々集光させると共に、Ｌ０層の前記所定トラックに青色の光ビームをトラッキングさせて、第１の情報１０９及び第２の情報１１７を夫々再生する。夫々が再生された時間差より、青色及び赤色の光ビームについての光軸相互の周方向のずれを検出し、再生された第２の情報１１７の内容より、前記光軸相互の径方向のずれを検出する。【選択図】図２
2010061713.tif 000002
【特許請求の範囲】
【請求項１】
光記録媒体が有する積層記録層に複数の波長を有する光ビームを夫々集光させて、情報を記録／再生する光ディスク装置において、
第１及び第２の記録層に第１及び第２の波長を有する第１及び第２の光ビームを夫々集光させる手段と、
前記第１の記録層のトラックに前記第１の光ビームをトラッキングさせる手段と、
前記第１の記録層の所定位置に記録された第１の情報を、前記第１の光ビームで再生する手段と、
該手段が再生した位置と対応する位置又は該位置から周方向に所定距離だけ離隔した位置を含む径方向の所定範囲にわたって記録された第２の記録層の第２の情報を、前記第２の光ビームで再生する再生手段と、
該再生手段が再生した第２の情報に基づいて、該第２の情報が記録された位置からの前記第２の光ビームのずれを検出する手段と
を備えることを特徴とする光ディスク装置。
【請求項２】
前記第１の記録層のトラッキングを制御する信号の中点を検出する手段と、
該手段が検出した中点に対応する位置を、前記第１の情報が記録されたトラック上で特定する手段とを備え、
前記再生手段は、前記特定する手段が特定した位置から直近の前記第１の情報を再生するように構成してあること
を特徴とする請求項１に記載の光ディスク装置。
【請求項３】
光記録媒体が有する積層記録層に複数の波長を有する光ビームを夫々集光させて、情報を記録／再生する光ディスク装置で、前記光ビームの光軸相互のずれを検出する光軸ずれ検出方法において、
第１及び第２の記録層に第１及び第２の波長を有する第１及び第２の光ビームを夫々集光させるステップと、
第１の記録層に第１の光ビームをトラッキングさせるステップと、
前記第１の記録層の所定位置に記録された第１の情報を、前記第１の光ビームで再生するステップと、
再生した位置と対応する位置又は該位置から周方向に所定距離だけ離隔した位置を含む径方向の所定範囲にわたって記録された第２の記録層の第２の情報を、前記第２の光ビームで再生する再生ステップと、
再生した第２の情報に基づいて、該第２の情報が記録された位置からの前記第２の光ビームのずれを検出するステップと
を含むことを特徴とする光軸ずれ検出方法。
【請求項４】
前記第１の記録層のトラッキングを制御する信号の中点を検出するステップと、
検出した中点に対応する位置を、前記第１の情報が記録されたトラック上で特定するステップとを含み、
前記再生ステップは、前記ステップで特定した位置から直近の前記第１の情報を再生するようにしてあること
を特徴とする請求項３に記載の光軸ずれ検出方法。
【請求項５】
複数の波長を有する光ビームを夫々集光させて情報を記録／再生する積層記録層を備えた光記録媒体において、
第１の記録層は、ランド部及び該ランド部間に設けられたグルーブ部で形成されるトラックを有し、
第２の記録層は、トラックを有しないこと
を特徴とする光記録媒体。
【請求項６】
前記第１の記録層は、第１の波長を有する光ビームで再生される第１の情報を所定位置に記録してあり、
前記第２の記録層は、前記所定位置と対応する位置又は該位置から周方向に所定距離だけ離隔した位置を含む径方向の所定範囲にわたって、第２の波長を有する光ビームで再生される第２の情報を記録してあること
を特徴とする請求項５に記載の光記録媒体。
【請求項７】
前記第１の情報が記録された位置を、同一トラック上に複数有することを特徴とする請求項６に記載の光記録媒体。
【発明の詳細な説明】
【技術分野】
【０００１】
本発明は、複数の光ビームの光軸を揃えるための情報が記録された光記録媒体を用いて前記光軸相互のずれを検出できる光ディスク装置、光軸ずれ検出方法、及び光記録媒体に関する。
【背景技術】
【０００２】
ＣＤ及びＤＶＤの記録／再生には、夫々７８０ｎｍ及び６５０ｎｍの波長を有する光ビームが必要とされる。近年、これら２波長の光ビームを１つのレーザ素子に出射させる光ディスク装置が出現し、光ピックアップにおける光ビームの光軸相互のずれ調整を不要としている。
【０００３】
一方、Blu-ray Disc（登録商標）の記録／再生に使用される光ビームの波長は４０５ｎｍであり、Blu-ray Disc及びＤＶＤの双方に対応させるために、青色光（405nm）及び赤色光（650nm）を夫々個別に出射するレーザ素子を備えざるを得ない場合がある。この場合は、夫々の光ビームに対する光学系の特性を最適化するために、光ディスク装置の光ピックアップにおいて光ビームの光軸相互のずれ調整が欠かせないものとなる。
【０００４】
これに対し、特許文献１では、２つのレーザ素子の直近に波長選択性のミラーを設けて、２つの光ビームの光軸相互のずれを実質的になくす技術が開示されている。また、特許文献２では、２つの光ビームの光軸上に、印加する電圧によって波長により屈折率を変化させることが可能なＴＮ型液晶素子を設け、光軸相互のずれを実質的になくす技術が開示されている。
【特許文献１】特開２００１−１８４７０６号公報
【特許文献２】特開２００１−２０２６５０号公報
【発明の開示】
【発明が解決しようとする課題】
【０００５】
しかしながら、特許文献１では、２つの光ビームの光軸相互のずれを検出する具体的な手段については開示されていない。また、特許文献２に開示された技術は、２つのレーザ素子間の距離及びＴＮ型液晶素子の特性より印加する電圧を決定して設定するものであり、２つの光ビームの光軸相互のずれを検出できるものではない。
【０００６】
本発明は斯かる事情に鑑みてなされたものであり、その目的とするところは、複数の光源に夫々対応する検出用の情報が予め記録された光記録媒体を、夫々の光源で読み取った結果に基づいて、光軸相互のずれを高精度に検出することを可能とする光ディスク装置、光軸ずれ検出方法、及び光記録媒体を提供することにある。
【課題を解決するための手段】
【０００７】
本発明に係る光ディスク装置は、光記録媒体が有する積層記録層に複数の波長を有する光ビームを夫々集光させて、情報を記録／再生する光ディスク装置において、第１及び第２の記録層に第１及び第２の波長を有する第１及び第２の光ビームを夫々集光させる手段と、前記第１の記録層のトラックに前記第１の光ビームをトラッキングさせる手段と、前記第１の記録層の所定位置に記録された第１の情報を、前記第１の光ビームで再生する手段と、該手段が再生した位置と対応する位置又は該位置から周方向に所定距離だけ離隔した位置を含む径方向の所定範囲にわたって記録された第２の記録層の第２の情報を、前記第２の光ビームで再生する再生手段と、該再生手段が再生した第２の情報に基づいて、該第２の情報が記録された位置からの前記第２の光ビームのずれを検出する手段とを備えることを特徴とする。
【０００８】
本発明に係る光ディスク装置は、前記第１の記録層のトラッキングを制御する信号の中点を検出する手段と、該手段が検出した中点に対応する位置を、前記第１の情報が記録されたトラック上で特定する手段とを備え、前記再生手段は、前記特定する手段が特定した位置から直近の前記第１の情報を再生するように構成してあることを特徴とする。
【０００９】
本発明に係る光軸ずれ検出方法は、光記録媒体が有する積層記録層に複数の波長を有する光ビームを夫々集光させて、情報を記録／再生する光ディスク装置で、前記光ビームの光軸相互のずれを検出する光軸ずれ検出方法において、第１及び第２の記録層に第１及び第２の波長を有する第１及び第２の光ビームを夫々集光させるステップと、第１の記録層に第１の光ビームをトラッキングさせるステップと、前記第１の記録層の所定位置に記録された第１の情報を、前記第１の光ビームで再生するステップと、再生した位置と対応する位置又は該位置から周方向に所定距離だけ離隔した位置を含む径方向の所定範囲にわたって記録された第２の記録層の第２の情報を、前記第２の光ビームで再生する再生ステップと、再生した第２の情報に基づいて、該第２の情報が記録された位置からの前記第２の光ビームのずれを検出するステップとを含むことを特徴とする。
【００１０】
本発明に係る光軸ずれ検出方法は、前記第１の記録層のトラッキングを制御する信号の中点を検出するステップと、検出した中点に対応する位置を、前記第１の情報が記録されたトラック上で特定するステップとを含み、前記再生ステップは、前記ステップで特定した位置から直近の前記第１の情報を再生するようにしてあることを特徴とする。
【００１１】
本発明に係る光記録媒体は、複数の波長を有する光ビームを夫々集光させて情報を記録／再生する積層記録層を備えた光記録媒体において、第１の記録層は、ランド部及び該ランド部間に設けられたグルーブ部で形成されるトラックを有し、第２の記録層は、トラックを有しないことを特徴とする。
【００１２】
本発明に係る光記録媒体は、前記第１の記録層は、第１の波長を有する光ビームで再生される第１の情報を所定位置に記録してあり、前記第２の記録層は、前記所定位置と対応する位置又は該位置から周方向に所定距離だけ離隔した位置を含む径方向の所定範囲にわたって、第２の波長を有する光ビームで再生される第２の情報を記録してあることを特徴とする。
【００１３】
本発明に係る光記録媒体は、前記第１の情報が記録された位置を、同一トラック上に複数有することを特徴とする。
【００１４】
本発明にあっては、ランド部及びグルーブ部で形成されるトラックを有する第１の記録層に第１の波長を有する第１の光ビームを集光させると共に、トラックを有しない第２の記録層に第２の波長を有する第２の光ビームを集光させる。そして、第１の記録層のトラックに第１の光ビームをトラッキングさせて第１の記録層の所定位置に記録された第１の情報を再生すると共に、第１の情報を再生した位置と対応する位置又は該位置から周方向に所定距離だけ離隔した位置を含む径方向の所定範囲にわたって記録された第２の記録層の第２の情報を第２の光ビームで再生する。
これにより、第１及び第２の記録層に第１及び第２の光ビームを夫々同時に集光させる。そして、第１の記録層のトラックにトラッキングさせて第１の情報を再生すると共に、第２の記録層にトラッキングさせることなく第２の情報を再生する。
この場合、第２の記録層はトラックを有しないため、換言すれば、凹凸部を有しないため、第２の情報が第２の記録層の前記所定範囲にわたって必ず存在するように構成できる。そして、第１及び第２の情報が再生される時間差は、第１及び第２の光ビームについての光軸相互の周方向のずれに比例する。また、第２の情報の内容が、径方向の位置に応じて変化するように記録されているときは、再生される第２の情報の内容は、第１及び第２の光ビームについての光軸相互の径方向のずれに応じて変化する。このため、第１及び第２の情報が再生された時間差より、第１及び第２の光ビームについての光軸相互の周方向のずれが検出され、再生された第２の情報の内容より、前記光軸相互の径方向のずれが検出される。
【００１５】
本発明にあっては、第１の記録層のトラッキングを制御する信号の中点を検出し、検出した中点に対応する前記トラック上の位置を特定する。そして、特定した位置から直近の第１の情報を再生する。
これにより、第１の情報が記録されたトラック上の位置のうち、光記録媒体の回転中心との距離が最大及び最小となる位置の中間位置を特定し、特定した位置に最も近い位置に記録された第１の情報及び第２の情報を再生する。このため、対物レンズがトラッキングを制御する信号で駆動されない状態、即ち対物レンズが可動範囲の中心にある状態が検出され、前記状態に対応するトラック上の位置から直近の第１の情報に基づいて、前記光軸相互のずれが検出される。
従って、第１の情報が同一トラック上に複数記録され、夫々の第１の情報に対応する第２の情報も複数記録されている光記録媒体が準備されているときは、第１及び第２の光ビームについての光軸相互のずれを検出するときの精度が上がる。
【００１６】
本発明にあっては、第１の記録層の所定位置に、第１の波長の光ビームで再生される第１の情報を記録してある。また、第２の記録層には、第１の情報が記録された位置と対応する位置又は前記位置から周方向に所定距離だけ離隔した位置を含む径方向の所定範囲にわたって、第２の波長の光ビームで再生される第２の情報を記録してある。
これにより、例えば、光記録媒体が光ディスク装置に載置されて駆動された場合、第１及び第２の波長を有する光ビームの対物レンズを共有させたとき又は前記対物レンズを互いに周方向へ前記所定距離だけ離隔させたときは、光記録媒体に集光される前記光ビームの光軸相互の径方向のずれが前記所定範囲内である限り、前記光ビームの光軸相互の周方向のずれに比例した時間差で第１及び第２の情報が再生される。
【００１７】
本発明にあっては、第１の記録層の同一トラック上に第１の情報を複数記録してあり、各第１の情報が記録された位置と対応する第２の記録層の位置又は前記位置から周方向に所定距離だけ離隔した位置を含む径方向の所定範囲にわたって、第２の情報を夫々記録してある。
これにより、例えば、光記録媒体が光ディスク装置に載置されて駆動された場合、前記トラック上の位置であって、光記録媒体の回転中心との距離が最大及び最小となる位置の中間位置から直近の第１の情報が再生されたときは、対物レンズがトラッキングを制御する信号で駆動される量が最小の状態で、第１及び第２の情報が再生される。
【発明の効果】
【００１８】
本発明によれば、第１及び第２の記録層に第１及び第２の光ビームを夫々同時に集光させる。そして、第１の記録層のトラックにトラッキングさせて第１の情報を再生すると共に、第２の記録層にトラッキングさせることなく第２の情報を再生する。これにより、第２の記録層はトラックを有しないため、換言すれば、凹凸部を有しないため、第２の情報が第２の記録層の前記所定範囲にわたって必ず存在するように構成できる。そして、第１及び第２の情報が再生される時間差は、第１及び第２の光ビームについての光軸相互の周方向のずれに比例する。また、第２の情報の内容が、径方向の位置に応じて変化するように記録されているときは、再生される第２の情報の内容は、第１及び第２の光ビームについての光軸相互の径方向のずれに応じて変化する。このため、第１及び第２の情報が再生された時間差より、第１及び第２の光ビームについての光軸相互の周方向のずれが検出され、再生された第２の情報の内容より、前記光軸相互の径方向のずれが検出される。
従って、複数の光源に夫々対応する検出用の情報が予め記録された光記録媒体を、夫々の光源で読み取った結果に基づいて、光軸相互のずれを高精度に検出することを可能とする。
【発明を実施するための最良の形態】
【００１９】
以下、本発明をその実施の形態を示す図面に基づいて詳述する。
（実施の形態１）
図１は、本発明の実施の形態１に係る光ディスク装置の構成を示すブロック図である。図中１は光ディスク装置であり、光ディスク装置１は、図示しないディスクトレイに載置された光記録媒体１０を回転させる回転駆動部（図示せず）を備える。ディスクトレイの一部には開口部があり、該開口部を通して、ディスクトレイの下側にある光ピックアップ装置２０が、光記録媒体１０の下面より記録層に光ビームを照射してデータの記録／再生処理を行う。光ピックアップ装置２０の全体は、図示しないパルスモータに駆動されて、光記録媒体１０の径方向に移動するようにしてある。
【００２０】
尚、図１における接続線は、代表的な信号及びデータの流れを示すものであり、各ブロック間の接続関係の全てを表すものではない。また、光ピックアップ装置２０は、簡略化のため一部のミラー及びグレーティングを省略し、光路の一部を変更して図示してある。光ピックアップ装置２０の光学系の詳細は、後述の図２で説明する。
【００２１】
光記録媒体１０は、光ピックアップ装置２０に近い下側より順に、Blu-ray Discの記録層であるＬ０層１０８、及びＤＶＤの記録層であるＬ１層１１６を積層してある。
光ピックアップ装置２０は、Blu-ray Disc用の青色のレーザ光及びＤＶＤ用の赤色のレーザ光を夫々出射する半導体レーザ１０１、１１１を備える。半導体レーザ１０１から出射されたレーザ光は、コリメータレンズ１０２、ビームエキスパンダ３０１、３０２、ミラー１０４、１０５ａ、及び対物レンズ１０７を通過して光記録媒体１０のＬ０層１０８に集光される。半導体レーザ１１１から出射されたレーザ光は、コリメータレンズ１１２、ミラー１１４、１１５、１０５ａ、及び対物レンズ１０７を通過して光記録媒体１０のＬ１層１１６に集光される。
【００２２】
コリメータレンズ１０２及びビームエキスパンダ３０１は、夫々コリメータレンズ駆動アクチュエータ４０１及びビームエキスパンダ駆動アクチュエータ４０２によって、光軸に平行な方向に進退可能に支持されている。コリメータレンズ駆動アクチュエータ４０１は、後述するＣＰＵ４０ａから球面収差の補正値を設定されたコリメートレンズ駆動回路３７によりパルス駆動されて、対物レンズ１０７の球面収差を補正する。ビームエキスパンダ駆動アクチュエータ４０２は、コイルに駆動電流を流すことにより、ビームエキスパンダ３０１を光軸に沿って進退させる。
【００２３】
対物レンズ１０７は、図示しないパルスモータ及び２軸駆動機構により駆動される対物レンズ駆動アクチュエータ４０３によって、光軸に平行な方向に進退可能に支持されると共に、光軸に平行な方向及び光記録媒体１０の径方向に２軸駆動されるようになっている。
【００２４】
光ピックアップ装置２０の半導体レーザ１０１、１１１は、夫々レーザ駆動回路３０、３１により駆動されて、上述した青色及び赤色のレーザ光を夫々出射する。出射されたレーザ光は光ビームとなり、Ｌ０層１０８及びＬ１層１１６で夫々反射された後、対物レンズ１０７とミラー１０５ａ、１０４及びミラー１０５ａ、１１５、１１４とを夫々経由し、青受光素子１１０及び赤受光素子１１８に導かれて夫々読取信号に変換される。変換された各読取信号は、光軸ずれ検出部５３に夫々与えられると共に、リレー接点６０で切り替えられてフォーカスエラー信号生成回路３３に与えられる。切り替えられた読取信号と青色レーザ光に対応する読取信号とを更にスイッチ６３で切り替えた信号が、トラッキングエラー信号生成回路３２に与えられる。青色のレーザ光に対応する読取信号は、フォーカスエラー信号生成回路５０にも与えられる。
【００２５】
リレー接点６０は、ＣＰＵ４０ａの制御により、ＤＶＤ及び本発明に係る光記録媒体１０を再生するときに「Ａ」側に切り替えられ、Blu-ray Discを再生するときに「Ｂ」側に切り替えられる。また、スイッチ６３は、標準的にBlu-ray Disc又はＤＶＤを再生する場合は「Ｂ」側にしてあり、本発明に係る光記録媒体１０を再生する場合は、予め「Ａ」側に切り替えてあるものとする。
【００２６】
トラキングエラー信号生成回路３２は、与えられた読取信号からトラッキングエラー信号（ＴＥ信号）を生成してトラッキングサーボ回路３５及び制御部４０に与える。フォーカスエラー信号生成回路３３、５０は、与えられた読取信号からフォーカスエラー信号（ＦＥ信号）を生成して、夫々フォーカスサーボ回路３４、５１に与えると共に、合焦したことを示すフォーカスＯＫ信号（ＦＯＫ信号）を生成して夫々制御部４０に与える。
【００２７】
トラッキングサーボ回路３５は、与えられたＴＥ信号の振幅に基づいてトラッキングサーボを行い、トラッキングサーボの操作量であるアクチュエータ駆動信号をアクチュエータ駆動回路３６及び光軸ずれ検出部５３に与える。
フォーカスサーボ回路３４、５１は、夫々与えられたＦＥ信号に基づいて合焦点を検出し、フォーカスサーボを行ってフォーカスサーボの操作量であるアクチュエータ駆動信号を、アクチュエータ駆動回路３６及びビームエキスパンダ駆動回路５２に夫々与える。
【００２８】
アクチュエータ駆動回路３６は、ＣＰＵ４０ａから目的の記録層を指定されて対物レンズ駆動アクチュエータ４０３を上下にパルス駆動すると共に、トラッキングサーボ回路３５及びフォーカスサーボ回路３４から夫々アクチュエータ駆動信号を与えられて、対物レンズ駆動アクチュエータ４０３に対物レンズ１０７を２軸駆動させるための信号を与える。
【００２９】
ビームエキスパンダ駆動回路５２は、フォーカスサーボ回路５１からアクチュエータ駆動信号を与えられてビームエキスパンダ駆動アクチュエータ４０２のコイルに駆動電流を与える。
光軸ずれ検出部５３は、青受光素子１１０及び赤受光素子１１８から夫々与えられた読取信号より第１の情報１０９及び第２の情報１１７（何れも図２参照）を再生すると共に、夫々の時間差を示す信号と再生して保持した第２の情報１１７とを制御部４０に与える。光軸ずれ検出部５３の詳細については後述する。
【００３０】
制御部４０は、上述した周辺の各種回路との入出力インタフェース及びＣＰＵ４０ａを有し、ＣＰＵ４０ａは、プログラム等の情報を記憶するＲＯＭ４１、一時的に発生した情報を記憶するＲＡＭ４２、光軸ずれ検出に係る指示を受け付けるための操作部５４、及び検出した光軸ずれを表示するための表示部５５とバス接続されている。ＣＰＵ４０ａは、ＲＯＭ４１に予め格納されているプログラムを実行することにより、上述したＴＥ信号、ＦＯＫ信号等の信号を取り込み、各サーボ回路をオン／オフさせると共に、本発明に係る光ディスク装置１としての制御を行う。
【００３１】
より具体的には、光記録媒体１０のＬ０層１０８及びＬ１層１１６に夫々記録された第１の情報１０９及び第２の情報１１７を再生する場合、ＣＰＵ４０ａは、対物レンズ１０７を光軸に平行な方向に駆動させて赤色の光ビームをＬ１層１１６に合焦させると共に、ビームエキスパンダ３０１を駆動させて青色の光ビームをＬ０層１０８に合焦させる。更に、ＣＰＵ４０ａは、対物レンズ１０７を光記録媒体１０の径方向に駆動させて青色の光ビームをＬ０層１０８のトラックにトラッキングさせる。
【００３２】
尚、フォーカスエラー信号生成回路５０、フォーカスサーボ回路５１、ビームエキスパンダ駆動回路５２、光軸ずれ検出部５３、操作部５４及び表示部５５は、本発明に係る光記録媒体１０を再生して光軸のずれを検出する場合にのみ使用されるため、これらの回路等を光ディスク装置１とは別に用意するようにしてもよい。この場合、ビームエキスパンダ３０１、３０２は、ビームエキスパンダ駆動アクチュエータ４０２によって駆動されないときに、標準的なビームエキスパンダとして機能するようにすればよい。
【００３３】
図２は、本発明の実施の形態１に係る光記録媒体１０と光ディスク装置１の光ピックアップ装置２０とを模式的に示す斜視図である。光記録媒体１０のＬ０層１０８の所定トラックには、後述する第１の情報１０９を記録してある。光記録媒体１０のＬ１層１１６には、前記第１の情報１０９と対応する位置を中心に、径方向の所定範囲にわたって後述する第２の情報１１７を記録してある。
【００３４】
光ピックアップ装置２０の半導体レーザ１０１から水平に出射された青色のレーザ光は、コリメータレンズ１０２を通過して略平行な青色の光ビームとなり、グレーティング１０３によって複数の光ビームに分割される。分割された光ビームは、ビームエキスパンダ３０１、３０２によってビーム径が広げられ、ビームスプリッタ１０４を通過してミラー１０５により水平面内で直角に反射される。反射された光ビームは、立ち上げミラー１０６で再び反射されて垂直に立ち上がり、対物レンズ１０７で集光されてＬ０層１０８に入射する。
【００３５】
Ｌ０層１０８で反射された光ビームは、入射時とは逆向きに、対物レンズ１０７、立ち上げミラー１０６、及びミラー１０５を経由し、ビームスプリッタ１０４に戻されて水平面内で直角に反射され、青受光素子１１０にて読取信号に変換される。
【００３６】
半導体レーザ１０１から出射されるレーザ光と同一方向に半導体レーザ１１１から出射された赤色のレーザ光は、コリメータレンズ１１２を通過して略平行な赤色光ビームとなり、グレーティング１１３によって複数の光ビームに分割される。分割された光ビームは、ビームスプリッタ１１４を通過してミラー１１５により水平面内で直角に反射され、ミラー１０５を通過した後は青色の光ビームと光軸が略同一となる。そして、立ち上げミラー１０６で反射されて垂直に立ち上がり、対物レンズ１０７により集光されてＬ１層１１６に入射する。
【００３７】
Ｌ１層１１６で反射された光ビームは、入射時とは逆向きに、対物レンズ１０７、立ち上げミラー１０６、ミラー１０５、及びミラー１１５を経由し、ビームスプリッタ１１４に戻されて水平面内で直角に反射され、赤受光素子１１８にて読取信号に変換される。
【００３８】
半導体レーザ１１１から出射された赤色のレーザ光は、ミラー１１５を回動させることにより、Ｌ１層１１６に集光させる位置を調整することができる。例えば、ミラー１１５を実線で示すように水平面内で回動させた場合、Ｌ１層１１６に集光された光ビームは、実線で示すように光記録媒体１０の径方向に移動する。また、ミラー１１５を破線で示すように、半導体レーザ１１１からミラー１１５に至る光軸に直角な面内で回動させた場合、Ｌ１層１１６に集光された光ビームは、破線で示すように光記録媒体１０の周方向に移動する。
【００３９】
図３は、ビームエキスパンダ３０１、３０２により、青色の光ビームがＬ０層１０８に集光される様子を示す説明図である。光記録媒体１０のＬ０層１０８及びＬ１層１１６の間隔は、製造に伴うばらつきのため、トラックの回転位置によって変動が生じる。従って、Ｌ０層１０８に記録された第１の情報１０９及びＬ１層１１６に記録された第２の情報１１７を同時に再生する場合、例えば対物レンズ１０７を駆動させてＬ１層１１６に赤色の光ビームを合焦させたときは、青色の光ビームを前記間隔の変動に応じてＬ０層１０８に合焦させる手段が別途必要となる。
【００４０】
本実施の形態１では、２枚のレンズで構成されるビームエキスパンダ３０１、３０２のうち、コリメータレンズ１０２に近い側に位置する凹レンズを光軸に平行な方向に進退させて、青色の光ビームがＬ０層１０８に合焦する位置を上下方向に変化させる。これにより、青色の光ビームを前記間隔の変動に追従させてＬ０層１０８に合焦させることができる。
【００４１】
図３（ａ）は、青色の光ビームについて、Ｌ０層１０８が対物レンズ１０７の焦点に位置するときに、青色の光ビームをＬ０層１０８に合焦させた様子を示す。ビームエキスパンダ３０１（凹レンズ）を通過して光軸から広がる方向に曲げられた青色の光ビームは、ビームエキスパンダ３０２（凸レンズ）を通過して再び光軸に平行な光ビームとなり、対物レンズ１０７に入射する。入射した光ビームは、対物レンズ１０７の焦点に位置するＬ０層１０８に合焦する。
【００４２】
図３（ｂ）は、Ｌ０層１０８が対物レンズ１０７の焦点の外側に位置するときに、青色の光ビームをＬ０層１０８に合焦させた様子を示す。例えば、ビームエキスパンダ３０２（凸レンズ）の周縁部を通過する光は、図３（ａ）の場合より、ビームエキスパンダ３０１（凹レンズ）の外縁に近い部分を通過したものであるため、ビームエキスパンダ３０２に達する光ビームは全体的に図３（ａ）の場合より急な角度で広がる。従って、光ビームは、ビームエキスパンダ３０２（凸レンズ）を通過することにより、拡散する光ビームとして対物レンズ１０７に入射する。このため、光ビームは、対物レンズ１０７の焦点の外側に位置するＬ０層１０８に合焦する。
【００４３】
図３（ｃ）は、Ｌ０層１０８が対物レンズ１０７の焦点の内側に位置するときに、青色の光ビームをＬ０層１０８に合焦させた様子を示す。例えば、ビームエキスパンダ３０２（凸レンズ）の周縁部を通過する光は、図３（ａ）の場合より、ビームエキスパンダ３０１（凹レンズ）の中心に近い部分を通過したものであるため、ビームエキスパンダ３０２に達する光ビームは全体的に図３（ａ）の場合より緩い角度で広がる。従って、光ビームは、ビームエキスパンダ３０２（凸レンズ）を通過することにより、集光する光ビームとして対物レンズ１０７に入射する。このため、光ビームは、対物レンズ１０７の焦点の内側に位置するＬ０層１０８に合焦する。
【００４４】
図４は、光記録媒体１０の構造を模式的に示す説明図である。図４（ａ）では、光記録媒体１０の模式的な縦断面を示す。光記録媒体１０は、入射光側より、保護層１０ａ、Ｌ０層１０８、スペーサ層１０ｂ、Ｌ１層１１６、及び基板１０ｃを積層してある。保護層１０ａの厚さは約０．１ｍｍであり、スペーサ層１０ｂを加えたＬ１層１１６の保護層１０ａ表面からの深さは、標準的なＤＶＤの記録層と同様に約０．６ｍｍとすることが好ましい。
【００４５】
図４（ｂ）は、Ｌ０層１０８の模式的な斜視図である。Ｌ０層１０８は、ランド部１０８ａと、隣り合うランド部１０８ａ、１０８ａ間に設けられた溝状のグルーブ部１０８ｂとからなるトラックを有し、ランド部１０８ａ及びグルーブ部１０８ｂの境界は、ウォブリング（蛇行）させてある。これにより、グルーブ部１０８ｂに青色の光ビームをトラッキングさせることができる。また、青色の光ビームをグルーブ部１０８ｂに照射してピット１０８ｃを形成し、ピット１０８ｃを含めたグルーブ部１０８ｂからの反射光を読取信号に変換することにより、情報の記録／再生を行うことができる。
尚、Ｌ１層１１６はトラックを有しないため、凹凸部のないＬ１層１１６の任意の領域にピット１０８ｃを形成してデータを記録／再生することができる。
【００４６】
図５は、Ｌ０層１０８及びＬ１層１１６に夫々記録された第１の情報１０９及び第２の情報１１７を模式的に示す説明図である。第１の情報１０９及び第２の情報１１７は、図５（ａ）の破線で示す青色の光ビームと実線で示す赤色の光ビームとの光軸相互にずれがない場合に、同時に再生が完了するように、互いに積層方向に重なる位置に記録してある。これにより、前記光軸相互に周方向のずれがある場合は、第１の情報１０９及び第２の情報１１７が再生された時間差より前記ずれが検出される。
【００４７】
図５（ｂ）に示すように、第１の情報１０９及び第２の情報１１７は、「０１１００１０」を基準マークとして、夫々連続する３個及び１個の基準マークからなる。夫々を構成する基準マークの個数が異なるのは、Blu-ray Disc及びＤＶＤのデータ転送レートが夫々３６Ｍｂｐｓ及び１１．０８Ｍｂｐｓであり、同一時間内に再生されるデータの量に約３倍の開きがあることに対応させるためである。
【００４８】
上述した光記録媒体１０は、青色の光ビームと赤色の光ビームとで光軸相互にずれがないように調整された光ピックアップ装置を用いて、Ｌ０層１０８及びＬ１層１１６に第１の情報１０９及び第２の情報１１７を夫々同時に書き込むことにより、作成することができる。また、予めＬ０層１０８に第１の情報１０９を記録しておき、第１の情報１０９の再生が開始される直前の位置から、Ｌ１層１１６に第２の情報１１７を書き込むようにしてもよい。この場合は、第１の情報１０９に先行する情報をＬ０層１０８に記録しておき、前記先行する情報を再生した時から第２の情報１１７を書き込むようにすればよい。
【００４９】
図６は、光記録媒体１０のＬ１層１１６に径方向の所定範囲にわたって第２の情報１１７を記録した例を示す説明図である。本実施の形態１では、第１の情報１０９と積層方向に重なる位置を基準位置とし、基準位置から径方向に前後±α及び±２αだけ離隔した位置（基準位置±α、及び基準位置±２α）を定義する。そして、基準位置には上述した基準マーク「０１１００１０」を、他の４つの定義された位置には基準マークと異なるユニークなマークを夫々記録してある。
これにより、青色及び赤色の光ビームについての光軸相互の径方向のずれが±２α以内である限り、第２の情報１１７が再生される。
【００５０】
隣り合って記録されたユニークなマーク相互間のハミング距離は「１」としてある。これにより、２つのユニークなマークにまたがって赤色の光ビームが集光された場合、再生された第２の情報１１７は、前記２つのうち何れか一方のユニークなマークとして識別される。
尚、ユニークなマークは、基準マークを含めて６種類以上記録するようにしてもよい。
【００５１】
前記αは、ＤＶＤのトラックピッチである０．７４μｍ以下であって、上述したユニークなマークを識別できる限界まで小さくすることが好ましい。これにより、第２の情報１１７が記録された範囲内では、必ず第２の情報１１７が再生されるようにできる。そして、再生された第２の情報１１７の内容が、図６のどのマークと一致するかを判定することにより、青色及び赤色の光ビームについての光軸相互の径方向のずれを検出することができる。
【００５２】
図７は、Ｌ０層１０８のトラックが、光記録媒体１０の回転中心に対して偏心している例を示す説明図である。図７（ａ）の実線は第１の情報１０９が記録されたトラックを示し、点線は、前記トラックと半径が同一であって光記録媒体１０の回転中心と中心を同じくする真円を示す。回転位置Ａ及びＣは、夫々前記真円の内側及び外側にあるのに対し、回転位置Ｂは前記真円上にある。前記トラックへのトラッキング制御は、図７（ｂ）に示すように、真円上の位置である回転位置Ｂを制御の中心として、青色の光ビームが前記トラック上の他の回転位置に追従するように行われる。
【００５３】
この場合、対物レンズ１０７は、トラッキングサーボ回路３５からアクチュエータ駆動信号を与えられた対物レンズ駆動アクチュエータ４０３によって、前記トラックの径方向へ進退するように駆動される。前記アクチュエータ駆動信号は、トラッキングを制御する信号であり、光ビームが回転位置Ｂにあるときに中点となるような正負両極性の信号である。
【００５４】
一方、青色及び赤色の光ビームについての光軸相互のずれを検出する場合、対物レンズ１０７は、径方向に駆動されていない状態であることが好ましい。従って、第１の情報１０９は、回転位置Ｂで再生することが好ましい。回転位置Ｂは、トラッキングを制御する信号の中点を検出することにより、特定することができる。
【００５５】
図８は、Ｌ０層１０８の所定トラックに複数の第１の情報１０９を記録した例を示す説明図である。上述したトラッキング制御の中心に対応する回転位置Ａは、光記録媒体１０が光ディスク装置１に装着されている状態によって変動するため、第１の情報１０９を記録するときに一義的に定めることができない。この場合、同一のトラック上に第１の情報１０９を複数記録したときは、トラッキングを制御する信号の中点に対応する回転位置から直近の第１の情報１０９に基づいて前記光軸相互のずれを検出することにより、ずれの検出誤差を極小にすることができる。
【００５６】
図９は、図１に示した光軸ずれ検出部５３の構成を示すブロック図である。トラッキング中点検出回路５３１は、トラッキングサーボ回路３５からアクチュエータ駆動信号を与えられてトラッキングを制御する信号の中点を検出し、中点直近情報検出回路５３４に与える。第１の情報再生回路５３２は、青受光素子１１０より読取信号を与えられて第１の情報１０９を再生し、中点直近情報検出回路５３４及び第２・第１時間差計測回路５３６に与える。第２の情報再生回路５３３は、赤受光素子１１８より読取信号を与えられて第２の情報１１７を再生し、第１・第２時間差計測回路５３５、第２・第１時間差計測回路５３６、及び第２の情報保持回路５３７に与える。
【００５７】
中点直近情報検出回路５３４は、第１の情報再生回路５３２から与えられた、トラックあたり複数の第１の情報１０９のうち、トラッキングを制御する信号の中点を示す信号から前方であって直近の第１の情報１０９を検出して、第１・第２時間差計測回路５３５及び第２・第１時間差計測回路５３６に与える。第１・第２時間計測成回路５３５は、中点直近情報検出回路５３４から与えられた第１の情報１０９と、その直後に出現した第２の情報１１７との時間差を計測して制御部４０に与える。第２・第１時間差計測回路５３６は、中点直近情報検出回路５３４から与えられた第１の情報１０９から直後に出現した第２の情報１１７と、その直後に出現した第１の情報１０９との時間差を計測して制御部４０に与える。第２の情報保持回路５３７は、再生された第２の情報１１７を保持して制御部４０に与える。
【００５８】
図１０は、光軸ずれ検出部５３の各回路に入出力する信号のタイミングを示すタイミングチャートである。図１０（ａ）は、所定トラック上に複数記録された第１の情報１０９が、一定の周期Ｔ０で再生されたタイミングを示す。図１０（ｄ）の前半では、第１の情報１０９に対して第２の情報１１７が遅れて再生されたタイミングを示し、後半では第１の情報１０９に対して第２の情報１１７が先行して再生されたタイミングを示す。
【００５９】
図１０（ｂ）は、トラッキング中点検出回路５３１によって、トラッキングを制御する信号の中点が検出されたタイミングを示す。検出された前記信号から直近の第１の情報１０９は、前方及び後方に一つずつ存在するが、後方の第１の情報１０９はリアルタイムに検出できないため、本実施の形態１では、図１０（ｃ）に示すように前方の第１の情報１０９を検出する。
【００６０】
図１０（ｅ）は、図１０（ｃ）で検出した第１の情報１０９によってセットされ、その直後に出現した第２の情報１１７によってリセットされる信号のタイミングを示す。第１・第２時間差計測回路５３５は、前記信号がオンとなっているＴ１の間だけ所定クロックを計数し、計数したクロックのカウント値を制御部４０に与えるようにしてある。
図１０（ｆ）は、図１０（ｃ）で検出した第１の情報１０９の直後に出現した第２の情報１１７によってセットされ、その直後に出現した第１の情報１０９によってリセットされる信号のタイミングを示す。第２・第１時間差計測回路５３６は、前記信号がオンとなっているＴ２の間だけ所定クロックを計数し、計数したクロックのカウント値を制御部４０に与えるようにしてある。
【００６１】
図１０の時間軸の前半と後半とでは、第１の情報１０９及び第２の情報１１７の出現順序が逆転しているため、Ｔ１及びＴ２の大小関係も逆転している。従って、Ｔ１とＴ２との大小関係を判定することにより、第１の情報１０９に対して第２の情報１１７が遅れているか否かを判別することができる。
【００６２】
図１１は、本発明の実施の形態１に係る光ディスク装置１の処理手順を示すフローチャートである。以下の処理は、ＲＯＭ４１に予め格納された制御プログラムに従って、制御部４０のＣＰＵ４０ａにより実行される。ＣＰＵ４０ａは、表示部５５に光軸ずれ検出に係る表示を行い、操作部５４より光軸ずれ検出に係る指示を受け付けたときに、以下の処理をスタートさせる。
尚、スイッチ６３は、予め「Ａ」側に設定してあるものとする。
【００６３】
ＣＰＵ４０ａは、フォーカスエラー信号生成回路３３を赤受光素子１１８に接続するために、リレー接点６０を「Ａ」側に設定する（ステップＳ１１）。そして、ＣＰＵ４０ａは、レーザ駆動回路３０、３１により半導体レーザ１０１、１１１をオンさせる（ステップＳ１２）。その後、ＣＰＵ４０ａは、ディスクトレイの回転をオンさせ（ステップＳ１３）、ピックアップ装置２０を、第１の情報１０９が記録されている所定トラックへ移動させる（ステップＳ１４）。
【００６４】
次いで、ＣＰＵ４０ａは、トラッキングサーボ回路３５に一旦トラッキングサーボをオフさせる（ステップＳ１５）。そして、ＣＰＵ４０ａは、アクチュエータ駆動回路３６にＬ１層１１６を指定すると共に、フォーカスサーボ回路３４をオンさせて赤色の光ビームをＬ１層１１６に合焦させる（ステップＳ１６）。その後、ＣＰＵ４０ａは、フォーカスエラー信号生成回路３３から与えられたＦＯＫ信号がオンしたか否かを判定する（ステップＳ１７）。これにより、Ｌ１層１１６への合焦が完了したか否かが判定される。ＦＯＫ信号がオンしていないと判定した場合（ステップＳ１７：ＮＯ）、ＣＰＵ４０ａは、ＦＯＫ信号がオンするまで待機する。
【００６５】
ＦＯＫ信号がオンしたと判定した場合（ステップＳ１７：ＹＥＳ）、ＣＰＵ４０ａは、フォーカスサーボ回路５１をオンさせて青色の光ビームをＬ０層１０８に合焦させる（ステップＳ１８）。その後、ＣＰＵ４０ａは、フォーカスエラー信号生成回路５０から与えられたＦＯＫ信号がオンしたか否かを判定する（ステップＳ１９）。これにより、Ｌ０層１０８への合焦が完了したか否かが判定される。ＦＯＫ信号がオンしていないと判定した場合（ステップＳ１９：ＮＯ）、ＣＰＵ４０ａは、ＦＯＫ信号がオンするまで待機する。
【００６６】
ＦＯＫ信号がオンしたと判定した場合（ステップＳ１９：ＹＥＳ）、ＣＰＵ４０ａは、トラキングサーボ回路３５にトラッキングサーボをオンさせる（ステップＳ２０）。そして、ＣＰＵ４０ａは、トラッキングエラー信号生成回路３２から与えられたＴＥ信号の振幅が所定値以上となったか否かを判定する（ステップＳ２１）。これにより、Ｌ０層の所定トラックへのトラッキングが完了したか否かが判定される。ＴＥ信号の振幅が所定値以上でないと判定した場合（ステップＳ２１：ＮＯ）、ＣＰＵ４０ａは、ＴＥ信号の振幅が所定値以上となるまで待機する。
【００６７】
ＴＥ信号の振幅が所定値以上であると判定した場合（ステップＳ２１：ＹＥＳ）、ＣＰＵ４０ａは、第１・第２時間差計測回路５３５から図１０の時間差Ｔ１に対応するカウント値を取り込む（ステップＳ２２）と共に、第２・第１時間差計測回路５３６から図１０の時間差Ｔ２に対応するカウント値を取り込む（ステップＳ２３）。そして、ＣＰＵ４０ａは、夫々のカウント値を比較することにより、Ｔ２がＴ１以上であるか否かを判定する（ステップＳ２４）。これにより、第２の情報１１７が、第１の情報１０９から遅れて検出されたか否かが判定される。（以下、遅れて検出された場合のずれを正とする。）
【００６８】
Ｔ２がＴ１以上であると判定した場合（ステップＳ２４：ＹＥＳ）、ＣＰＵ４０ａは、Ｔ１に対応するカウンタ値を、青色の光ビームに対する赤色の光ビームのずれに換算し（ステップＳ２５）、換算した値を周方向のずれ（正）として表示部５５に表示する（ステップＳ２６）。Ｔ２がＴ１以上でないと判定した場合（ステップＳ２４：ＮＯ）、ＣＰＵ４０ａは、Ｔ２に対応するカウンタ値を、青色の光ビームに対する赤色の光ビームのずれに換算し（ステップＳ２７）、換算した値を周方向のずれ（負）として表示部５５に表示する（ステップＳ２８）。
【００６９】
ステップＳ２６又はステップＳ２８の処理を終えた場合、ＣＰＵ４０ａは、第２の情報保持回路５３７から第２の情報１１７を取り込む（ステップＳ２９）。そして、ＣＰＵ４０ａは、取り込んだ第２の情報１１７の内容が図６に示すどのマークと一致するかを判定して、青色の光ビームに対する赤色の光ビームのずれを導出し（ステップＳ３０）、導出した値を径方向のずれとして表示部５５に表示する（ステップＳ３１）。その後ＣＰＵ４０ａは処理を終了する。
【００７０】
以上のように、本実施の形態１によれば、光記録媒体は、ランド部及びグルーブ部で形成されるトラックを有するＬ０層と、トラックを有しないＬ１層とを備える。Ｌ０層の所定トラックの所定位置には、第１の情報として基準マーク「０１１００１０」を３個記録してあり、前記所定位置に対応するＬ１層の基準位置には、第２の情報として前記基準マークを１個記録してある。更に、前記基準位置から径方向に±αの位置及び±２αの位置に、第２の情報としてユニークなマークを夫々記録してあり、隣り合うユニークなマーク相互間のハミング距離を１としてある。
【００７１】
光ディスク装置は、光記録媒体のＬ０層に青色の光ビームを集光させると共に、Ｌ１層に赤色の光ビームを集光させる。そして、Ｌ０層の前記所定トラックに青色の光ビームをトラッキングさせて第１の情報を再生すると共に、第２の情報を赤色の光ビームで再生する。
【００７２】
これにより、Ｌ０層には、光ビームを集光させてトラッキングさせることができる。そして、Ｌ１層はトラックを有しないため、換言すれば、凹凸部を有しないため、Ｌ１層の前記所定範囲にわたって第２の情報が必ず存在するように構成できる。
【００７３】
また、第１及び第２の情報が再生される時間差は、青色及び赤色の光ビームについての光軸相互の周方向のずれに比例する。そして、第２の情報の内容が、径方向の位置がαずつ変化する毎に１ビットずつ変化するように記録されていることから、再生される第２の情報の内容は、青色及び赤色の光ビームについての光軸相互の径方向のずれに応じて変化する。
このため、第１及び第２の情報が再生された時間差より、青色及び赤色の光ビームについての光軸相互の周方向のずれが検出され、再生された第２の情報の内容より、前記光軸相互の径方向のずれが検出される。従って、複数の光源に夫々対応する検出用の情報が予め記録された光記録媒体を、夫々の光源で読み取った結果に基づいて、光軸相互のずれを高精度に検出することができる。
【００７４】
更に、光記録媒体のＬ０層の同一トラック上には、第１の情報を複数記録してあり、Ｌ１層には、各第１の情報に夫々対応する第２の情報を記録してある。光ディスク装置は、トラッキングサーボ回路から対物レンズ駆動アクチュエータに与えられるアクチュエータ駆動信号の中点を検出し、検出した中点に対応する前記トラック上の回転位置Ｂを特定する。そして、特定した回転位置Ｂから後方であって直近の第１の情報を再生する。
【００７５】
このため、対物レンズがアクチュエータ駆動信号で駆動されない状態、即ち対物レンズが可動範囲の中心にある状態が検出され、前記状態に対応するトラック上の回転位置Ｂから直近の第１の情報に基づいて、前記光軸相互のずれが検出される。
従って、青色及び赤色の光ビームについての光軸相互のずれを検出するときの精度が上がる。
【００７６】
（実施の形態２）
実施の形態２は、実施の形態１において青色及び赤色の光ビームが対物レンズ１０７を共有するのに対し、前記各光ビームが対物レンズ１０７、２０２を夫々個別に有する形態である。
【００７７】
図１２は、本発明の実施の形態２に係る光ディスク装置１の構成を示すブロック図である。
尚、光ピックアップ装置２０は、簡略化のため一部のミラー及びグレーティングを省略し、光路の一部を変更して図示してある。光ピックアップ装置２０の光学系の詳細は、後述の図１３で説明する。
【００７８】
光ピックアップ装置２０の半導体レーザ１０１から出射されたレーザ光は、コリメータレンズ１０２、ミラー１０４、及び対物レンズ１０７を通過して光記録媒体１０のＬ０層１０８に集光される。半導体レーザ１１１から出射されたレーザ光は、コリメータレンズ１１２、ミラー１１４、及び対物レンズ２０２を通過して光記録媒体１０のＬ１層１１６に集光される。
【００７９】
対物レンズ２０２は、対物レンズ１０７と同様に、図示しないパルスモータ及び２軸駆動機構により駆動される対物レンズ駆動アクチュエータ４０４によって、光軸に平行な方向に進退可能に支持されると共に、光軸に平行な方向及び光記録媒体１０の径方向に２軸駆動されるようになっている。
【００８０】
Ｌ０層１０８及びＬ１層１１６で夫々反射された光ビームは、対物レンズ１０７とミラー１０４及びミラー１１４とを夫々経由し、青受光素子１１０及び赤受光素子１１８に導かれて夫々読取信号に変換される。変換された各読取信号は、光軸ずれ検出部５３に夫々与えられると共に、リレー接点６０で切り替えられてフォーカスエラー信号生成回路３３及びトラッキングエラー信号生成回路３２に夫々与えられる。赤色のレーザ光に対応する読取信号は、フォーカスエラー信号生成回路５０にも与えられる。
【００８１】
トラッキングサーボ回路３５及びフォーカスサーボ回路３４は、夫々が出力するアクチュエータ駆動信号を、リレー接点６１を介してアクチュエータ駆動回路３６ａ又はスイッチ６２に与える。トラッキングサーボ回路３５が出力するアクチュエータ駆動信号は、光軸ずれ検出部５３にも与えられる。
【００８２】
フォーカスサーボ回路５１は、アクチュエータ駆動信号をスイッチ６２に与える。スイッチ６２は、リレー接点６１及びフォーカスサーボ回路３４から与えられたアクチュエータ駆動信号を切り替えてアクチュエータ駆動回路３６ｂに与える。
【００８３】
リレー接点６０、６１は、ＣＰＵ４０ａの制御により、Blu-ray Disc及び本発明に係る光記録媒体１０を再生するときに「Ａ」側に切り替えられ、ＤＶＤを再生するときに「Ｂ」側に切り替えられる。また、スイッチ６２は、標準的にBlu-ray Disc又はＤＶＤを再生する場合は「Ａ」側にしてあり、本発明に係る光記録媒体１０を再生する場合は、予め「Ｂ」側に切り替えてあるものとする。
【００８４】
アクチュエータ駆動回路３６ａ、３６ｂは、ＣＰＵ４０ａから目的の記録層を指定されて、対物レンズ駆動アクチュエータ４０３、４０４を夫々上下にパルス駆動すると共に、対物レンズ駆動アクチュエータ４０３、４０４に対物レンズ１０７、２０２を２軸駆動するための信号を夫々与える。
【００８５】
ＣＰＵ４０ａは、光記録媒体１０のＬ０層１０８及びＬ１層１１６に夫々記録された第１の情報１０９及び第２の情報１１７を再生する場合、対物レンズ２０２を光軸に平行な方向に駆動させて赤色の光ビームをＬ１層１１６に合焦させると共に、対物レンズ１０７を駆動させて青色の光ビームをＬ０層１０８に合焦させる。更に、ＣＰＵ４０ａは、対物レンズ１０７を光記録媒体１０の径方向に駆動させて青色の光ビームをＬ０層１０８のトラックにトラッキングさせる。
【００８６】
図１３は、本発明の実施の形態２に係る光記録媒体１０と光ディスク装置１の光ピックアップ装置２０とを模式的に示す斜視図である。光記録媒体１０のＬ１層１１６には、Ｌ０層１０８に記録された第１の情報１０９と対応する位置から周方向に所定距離だけ離隔した位置を中心に、径方向の所定範囲にわたって第２の情報１１７を記録してある。前記所定距離は、対物レンズ１０７、２０２の光軸相互間の標準的な間隔と一致させてある。
【００８７】
半導体レーザ１０１から水平に出射された青色のレーザ光は、ビームエキスパンダ３０１、３０２を通過しない点を除いて図２と同様の光路を辿り、Ｌ０層１０８に集光される。Ｌ０層１０８で反射された光ビームは、図２と同様に青受光素子１１０に導かれて読取信号に変換される。
【００８８】
半導体レーザ１１１から出射された赤色のレーザ光は、立ち上げミラー１０６を通過する点を除いて図２と同様の光路を辿り、立ち上げミラー２０１で垂直に反射されてＬ１層１１６に集光される。Ｌ１層１１６で反射された光ビームは、図２と同様に赤受光素子１１８に導かれて読取信号に変換される。
【００８９】
図１４は、Ｌ０層１０８及びＬ１層１１６に夫々記録された第１の情報１０９及び第２の情報１１７を模式的に示す説明図である。第１の情報１０９及び第２の情報１１７は、図１４（ａ）の破線で示す青色の光ビームと実線で示す赤色の光ビームとについて、光軸相互間の周方向の間隔が対物レンズ１０７、２０２の光軸相互間の標準的な間隔と一致する場合に、同時に再生が完了するように、離隔して記録してある。これにより、青色及び赤色の光ビームの光軸相互に、前記標準的な間隔に対する周方向のずれがある場合は、第１の情報１０９及び第２の情報１１７が再生された時間差より前記ずれが検出される。
図１４（ｂ）に示す第１の情報１０９及び第２の情報１１７の内容は、図５の場合と同様である。
【００９０】
本発明の実施の形態２に係る光ディスク装置１の処理手順は、図１１と以下の点で異なるフローチャートによって示される。ステップＳ１１ではリレー接点６０、６１を「Ａ」側に設定する。ステップＳ１６ではアクチュエータ駆動回路３６ｂにＬ１層１１６を指定すると共に、フォーカスサーボ回路５１をオンさせて赤色の光ビームをＬ１層１１６に合焦させる。ステップＳ１７ではフォーカスエラー生成回路５０から与えられたＦＯＫ信号がオンしたか否かを判定する。ステップＳ１８ではアクチュエータ駆動回路３６ａにＬ０層１０８を指定すると共に、フォーカスサーボ回路３４をオンさせて青色の光ビームをＬ０層１０８に合焦させる。ステップＳ１９ではフォーカスエラー信号生成回路３３から与えられたＦＯＫ信号がオンしたか否かを判定する。
【００９１】
その他、実施の形態１に対応する箇所には同様の符号を付して、その詳細な説明を省略する。
【００９２】
以上のように、本実施の形態２によれば、Ｌ１層には、Ｌ０層に記録された第１の情報と対応する位置から周方向に所定距離だけ離隔した位置を中心に、径方向の所定範囲にわたって第２の情報を記録してある。前記所定距離は、青色及び赤色の光ビームを夫々集光する対物レンズの光軸相互間の標準的な間隔と一致させてある。
【００９３】
これにより、青色及び赤色の光ビームの光軸相互に、対物レンズ間の標準的な間隔に対する周方向のずれがある場合は、第１の情報及び第２の情報が再生された時間差より前記ずれが検出される。
従って、複数の光源に夫々対応する検出用の情報が予め記録された光記録媒体を、夫々の光源で読み取った結果に基づいて、光軸相互のずれを高精度に検出することができる。
【００９４】
実施の形態１及び２にあっては、光ディスク装置１が青色及び赤色の光ビームについての光軸相互のずれを検出する例を説明したが、図２及び１３に示すミラー１１５を図の実線及び破線で示す方向へ回動可能に支持し、２つのパルスモータで夫々駆動される２つの調整ドライバーにより、ミラー１１５を回動させる２つの調整ビスを夫々回転させるようにしてもよい。この場合、図１１のステップ２５又は２７で換算して導出した周方向のずれと、ステップＳ３０で換算して導出した径方向のずれとに基づいて、ＣＰＵ４０ａが、夫々のパルスモータを駆動するパルス数と駆動方向を決定する。
これにより、前記光軸相互のずれを解消させることができる。
【図面の簡単な説明】
【００９５】
【図１】本発明の実施の形態１に係る光ディスク装置の構成を示すブロック図である。
【図２】本発明の実施の形態１に係る光記録媒体と光ディスク装置の光ピックアップ装置とを模式的に示す斜視図である。
【図３】ビームエキスパンダにより、青色の光ビームがＬ０層に集光される様子を示す説明図である。
【図４】光記録媒体の構造を模式的に示す説明図である。
【図５】Ｌ０層及びＬ１層に夫々記録された第１の情報及び第２の情報を模式的に示す説明図である。
【図６】光記録媒体のＬ１層に径方向の所定範囲にわたって第２の情報を記録した例を示す説明図である。
【図７】Ｌ０層のトラックが、光記録媒体の回転中心に対して偏心している例を示す説明図である。
【図８】Ｌ０層の所定トラックに複数の第１の情報を記録した例を示す説明図である。
【図９】図１に示した光軸ずれ検出部の構成を示すブロック図である。
【図１０】光軸ずれ検出部の各回路に入出力する信号のタイミングを示すタイミングチャートである。
【図１１】本発明の実施の形態１に係る光ディスク装置の処理手順を示すフローチャートである。
【図１２】本発明の実施の形態２に係る光ディスク装置の構成を示すブロック図である。
【図１３】本発明の実施の形態２に係る光記録媒体と光ディスク装置の光ピックアップ装置とを模式的に示す斜視図である。
【図１４】Ｌ０層及びＬ１層に夫々記録された第１の情報及び第２の情報を模式的に示す説明図である。
【符号の説明】
【００９６】
１    光ディスク装置
１０  光記録媒体
１０８  Ｌ０層
１０８ａ  ランド部
１０８ｂ  グルーブ部
１０８ｃ  ピット
１０９  第１の情報
１１６  Ｌ１層
１１７  第２の情報
２０  光ピックアップ装置
３４、５１  フォーカスサーボ回路
３５  トラッキングサーボ回路
３６  アクチュエータ駆動回路
４０  制御部
４０１  ＣＰＵ
４０２  ビームエキスパンダ駆動アクチュエータ
４０３  対物レンズ駆動アクチュエータ
５２  ビームエキスパンダ駆動回路
【図１】
2010061713.tif 000003
【図２】
2010061713.tif 000004
【図３】
2010061713.tif 000005
【図４】
2010061713.tif 000006
【図５】
2010061713.tif 000007
【図６】
2010061713.tif 000008
【図７】
2010061713.tif 000009
【図８】
2010061713.tif 000010
【図９】
2010061713.tif 000011
【図１０】
2010061713.tif 000012
【図１１】
2010061713.tif 000013
【図１２】
2010061713.tif 000014
【図１３】
2010061713.tif 000015
【図１４】
2010061713.tif 000016